(57)【要約】【課題】人体各部のこりや痛みを、経穴等への押圧とトルマリン等の活用によって顕著に緩和することができ、且つその押圧力を機械的に調整可能な構成とした人体各部の押圧具を提供する。【解決手段】押圧軸を遊嵌状に突設した形状の前筒部１１と、トルマリンボール５１およびゲルマニウムボール５２を収納した後筒部１２を、ロック螺子４０を介して分離可能に連結して成る把持体１０の内部に、押圧力調整手段３０とコイルバネ保護手段を設けた構造の押圧具であって、前記押圧力調整手段３０を、前筒部１１の内壁に取付けられた調整螺子３１と、その調整螺子３１に連動するバネ調整用の基台３２と、大小２本のコイルバネ３３，３４とにより形成し、該調整螺子３１の位置変更によって、前記コイルバネの押圧力を調整するように構成する。【選択図】図２
0003152151.tif 000002
【実用新案登録請求の範囲】
【請求項１】
前筒部と後筒部がロック螺子を介して分離可能に連結された形状の把持体の前部に、経穴等を押圧するための押圧部を配置し、さらに押圧力調整手段とコイルバネ保護手段とを備えて成る押圧具であって、前記押圧部を、前筒部から遊嵌状に突設された押圧軸と前筒部に内設された鍔部とにより形成し、また前記押圧力調整手段を、前筒部の内壁に取付けられ、且つロック螺子によって所望位置に固定される調整螺子と、その調整螺子に連動するバネ調整用の基台と、その基台と鍔部の間に配設された大きさの異なる２本のコイルバネとにより形成し、該調整螺子の位置変更によって、前記コイルバネの押圧力を調整するように設けるとともに、前記コイルバネ保護手段を、前筒部の前端に衝止可能な形状のキャップを押圧軸の外周に設けた構成としたことを特徴とする人体各部の押圧具。
【請求項２】
上記したコイルバネ保護手段が、バネ調整用の基台と鍔部における相対向する位置に形成されたコイルバネ取付盤とバネ受け溝の一方または両方であることを特徴とする請求項１に記載の人体各部の押圧具。
【請求項３】
上記したコイルバネ保護手段が、鍔部からコイルバネの内部に向けて突設された内設軸であることを特徴とする請求項１に記載の人体各部の押圧具。
【請求項４】
上記したロック螺子と調整螺子にそれぞれ貫通孔を形成するとともに、上記した後筒部に、トルマリンボールとゲルマニウムボールの一方または両方を収納したことを特徴とする請求項１に記載の人体各部の押圧具。
【請求項５】
上記した押圧部を、セラミックとトルマリンとゲルマニウムを混合した金属で形成したことを特徴とする請求項１に記載の人体各部の押圧具。
【請求項６】
トルマリンとゲルマニウムを混合して成る当接部材を、上記した押圧軸の先端に、略半球面状に突設して設けたことを特徴とする請求項１に記載の人体各部の押圧具。
【考案の詳細な説明】
【技術分野】
【０００１】  本考案は、身体中に点在している経穴（ツボ）、トリガーポイントや反射点等（以下、経穴等と称する）を押圧して刺激することにより、症状の改善や健康増進に寄与することができる人体各部の押圧具に係るものであり、さらに詳しくは、経穴等への押圧力を適宜に調整可能な構造で、且つ内装部品の損傷を防止することができる手持ち型の押圧具に関するものである。
【背景技術】
【０００２】  従来、手持ち型の押圧具としては、金属製の棒状体の少なくとも一方の先端部に磁石を設けた構造のつぼ押し具が提案されている（特許文献１）。また細長い丸棒の一端近傍に緩やかな湾曲収縮部を形成するとともに、その一端面に放射状の切り溝を設け、他端面に円筒外面をなす凹曲面と放射状の切り溝を形成した人体各部のツボ押圧器具も開示されている（特許文献２）。
【特許文献１】実願平７−７１００号公報
【特許文献２】実願２０００−５６６３号公報
【考案の開示】
【考案が解決しようとする課題】
【０００３】  上記した両公報のつぼ押し具およびツボ押圧器具は、いずれも押圧を行う先端部がやや大径に形成されているので、経穴等に局所的強刺激を与えることができず、人体深部のこりや痛みを充分に緩和することができないという欠点があり、またこれらの各器具には押圧力の調整機能が付与されていないので、人為的な手加減で押圧力を調整しなければならないという顕著な問題点もあった。【０００４】  そこで本考案は、人体深部のこりや痛みを充分に緩和することができ、加えてその押圧力を機械的に調整可能な構成とするとともに、トルマリンやゲルマニウムから放射される遠赤外線やマイナスイオン等を複合的に活用することにより顕著な治療成果が得られ、また内装部品としてのコイルバネの損傷を防止可能な手段（本考案では、これをコイルバネ保護手段と称する）を備えた人体各部の押圧具の提供を目的とするものである。
【課題を解決するための手段】
【０００５】  上記の目的を達成するため、請求項１に記載の本考案は、前筒部と後筒部がロック螺子を介して分離可能に連結された形状の把持体の前部に、経穴等を押圧するための押圧部を配置し、さらに押圧力調整手段とコイルバネ保護手段を備えて成る押圧具であって、前記押圧部を、前筒部から遊嵌状に突設された押圧軸と前筒部に内設された鍔部とにより形成し、また前記押圧力調整手段を、前筒部の内壁に取付けられ、且つロック螺子によって所望する位置に固定される調整螺子と、その調整螺子に連動するバネ調整用の基台と、その基台と鍔部の間に配設された大きさの異なる２本のコイルバネとにより形成し、該調整螺子の位置変更によって、前記コイルバネの押圧力を調整するように設けるとともに、前記コイルバネ保護手段を、前筒部の前端に衝止可能な形状のキャップを押圧軸の外周に設けた構成としたことを特徴とするものである。【０００６】  請求項２に記載の本考案は、上記したコイルバネ保護手段が、バネ調整用の基台と鍔部との相対向する位置に形成されたコイルバネ取付盤とバネ受け溝の一方または両方であることを特徴とするものである。【０００７】  請求項３に記載の本考案は、上記したコイルバネ保護手段が、鍔部からコイルバネの内部に向けて突設された内設軸であることを特徴とするものである。【０００８】  請求項４に記載の本考案は、上記したロック螺子と調整螺子にそれぞれ貫通孔を形成するとともに、上記した後筒部に、トルマリンボールとゲルマニウムボールの一方または両方を収納したことを特徴とするものである。【０００９】  請求項５に記載の本考案は、上記した押圧部を、セラミックとトルマリンとゲルマニウムを混合した金属で形成したことを特徴とするものである。【００１０】  請求項６に記載の本考案は、トルマリンとゲルマニウムを混合して成る当接部材を、上記した押圧軸の先端に、略半球面状に突設して設けたことを特徴とするものである。
【考案の効果】
【００１１】  本考案の人体各部の押圧具は、経穴等をピンポイントで押圧することができるので、人体の深部のこりや痛みを容易に緩和することができるばかりでなく、大小２本のコイルバネを二重状に配置してあるので、強い押圧力に対してはハードに、弱い押圧力に対してはソフトに作用し、且つ一定圧まで押圧力を維持していれば、コイルバネの押圧作用で筋の硬結を緩和することができるという特筆すべき効果を奏するとともに、内部に押圧力調整手段を設けてあるので、コイルバネの押圧力を任意に変更することができるという他に類を見ない大きな効果を有するものである。また本考案は、トルマリンやゲルマニウムの遠赤外線やマイナスイオン等を直接的または間接的に放射するように構成してあるので、押圧による刺激と相俟って、顕著な治療成果を得ることができるという特長もある。【００１２】  また本考案にはコイルバネ保護手段が設けてあるので、コイルバネを支障なく長期間使用することができ、併せて必要以上の押圧力が加わることによる身体への悪影響を、前記押圧力調整手段と共に防止することができるという長所がある。【００１３】  以上のような効果を発揮する本考案の押圧具を使用すれば、痛みを抑制する物質の分泌や血流の促進、筋・腱・靭帯の緊張緩和等に著しい効果があるので、腰痛や肩こりを始めとする多様な症状の改善に大きく寄与することができ、また自然治癒力を高め、病気になりにくい身体を作ることができる。
【考案を実施するための最良の形態】
【００１４】  筒状に形成された把持体の前端部に押圧軸を遊嵌し、且つ適宜個所に押圧力調整手段やコイルバネ保護手段を設けるとともに、トルマリンやゲルマニウムを有効に活用することにより、人体各部におけるこりや痛み、その他の多種多様な症状の緩和に貢献するものである。
【実施例１】
【００１５】  以下に、本考案の第１の実施例を図面に基いて説明するが、本考案の各実施例は、主として把持体１０、押圧部２０、押圧力調整手段３０、ロック螺子４０から構成され、且つ複数種類の中から選択されたコイルバネ保護手段が付与されるものである。【００１６】  本考案に成る人体各部の押圧具の外観は、図１の分解斜視図で示すように、細長筒状の把持体１０と押圧軸２１によって大略ボールペン状に形成され、さらにその把持体１０の外周面には、周方向の溝が刻設されているので、使用の際には把持し易い形状となっている。なおこの押圧具は、適度の重量を有するために金属を用いて製造されている。【００１７】  上記した把持体１０は、前筒部１１と後筒部１２に分割して形成され、この両筒部を、後述するロック螺子４０を介して連結するように構成されている。また該把持体１０の内部は、図２に示すように空洞状になっていて、その内部側壁の大半に雌螺子が形成されており、さらに前筒部１１の前部には、後述する押圧軸を外方へ突設するための押圧軸挿通口１３が設けられている。なお図２は図１の押圧具を組立てた状態の断面図で、把持体外周の溝は省略してある。【００１８】  押圧部２０は、前筒部１１の前端側に内設した鍔部２２と、図示のような細長丸棒状に形成された押圧軸２１とにより、断面Ｔ字状に設けられたものである。該鍔部２２は、前筒部１１の内部を前後方向（図においては上下方向）へ支障なく移動可能な形状となっており、且つ押圧軸２１の直径が前記した押圧軸挿通口１３の内径よりもやや小さく形成されていて、その動きが把持体１０に拘束されることはないので、押圧軸２１が把持体の前部に遊嵌された形態となっている。また前述した如くに、押圧軸２１が小径の丸棒状に設けられていて、経穴等に対してピンポイントで押圧力を加えることができるので、身体深部のこりや痛みを確実に緩和することができるようになっている。さらに該押圧軸２１の外周には、後述するようなコイルバネ保護手段の中の一種類である金属製のキャップ２４が取付けられている。【００１９】  押圧力調整手段３０は、前筒部１１の内部側壁に取付けられる調整螺子３１と、その調整螺子３１の位置変更に連動するバネ調整用の基台（以下、基台）３２と、大小２本のコイルバネ３３，３４とを備えて成るものである。【００２０】  前記調整螺子３１は、その表面に雄螺子を設け、且つその内部に貫通孔３５が形成されたパイプ状に設けられたもので、その設定位置を変更する場合は、図１のように後筒部１２を前筒部１１から分離させ、後述するロック螺子４０を取外した後、ドライバーやレンチ等の適宜な工具を用いて所望する位置まで前進または後退させるものである。またやや大径の丸棒状に形成された基台３２は、前筒部の内部側壁との間に空隙部を有し、自由移動できるように設計されたものである。なお該基台３２には貫通孔を設けないものとし、また調整螺子３１の貫通孔３５は、その後端部のみを解放状とし、前端部を閉鎖状に形成してもよい。【００２１】  さらに前記鍔部２２と基台３２の間に介在するコイルバネ３３，３４は、大小２本のバネを二重に設けた構造となっており、使用時において、強く押圧した場合は２本のバネが効いてハー���に作用し、また弱く押圧した場合は１本のバネのみでソフトに作用するようになっており、またこの鍔部２２と基台３２の間には、後述するコイルバネ保護手段を設けてコイルバネ３３，３４の損傷を防止する構造が設けられている。なお本考案においてはコイルバネを２本用いているが、コイルバネの数は使用形態によって変更することも可能である。【００２２】  このように構成された押圧力調整手段３０は、調整螺子３１の設定位置を適宜に変更することにより、上述のようなコイルバネ３３，３４の押圧力を調整するように設けられたものである。【００２３】  また把持体１０から独立して設けられたロック螺子４０は、その外周に雄螺子が形成され、且つその内部に貫通孔４１が形成されたもので、前記調整螺子３１を所定位置でロックすると同時に、前筒部１１と後筒部１２を連結する役目を担うものであり、以下にその使用手順を説明する。まず調整螺子３１の位置が決まると、調整螺子３１の後端部にロック螺子４０の前端部が密着するような形態で、ロック螺子４０の前半部を前筒部１１の内壁に螺合させる。するとロック螺子４０の後半部は前筒部から後方に突出するので、その突出部分と後筒部１２を螺合させるのである。ロック螺子４０は、このような方法で前記した二つの役目を遂行するものである。【００２４】  次に、コイルバネ保護手段の構造について説明するが、本考案では、以下に述べるような４種類の保護手段の中から適宜選択するか、または複数種類を組み合わせて構成するようになっている。【００２５】  コイルバネを保護するための第１の手段は、図１および図２に示すように、押圧軸２１の外周に金属製（好ましくは押圧軸２１とほぼ同一の素材）のキャップ２４を取付けた構造である。この場合のキャップ２４は、前筒部１１の前端との間に適宜な間隔を有して取付けられ、且つその厚みが、押圧軸挿通口１３内における押圧軸２１の周囲の隙間よりも肉厚状に設けられたもので、この押圧軸２１に過大な押圧力が加えられた場合に、キャップ２４が前筒部１１の前端に衝止してストッパーの役割を果たすものである。したがって該キャップ２４は、押圧軸２１が必要以上に内部に進入することによるコイルバネ３３，３４の損傷を防止するとともに、過大な押圧力を人体に加えることによる悪影響も防止する効果を発揮するものである。なおこのキャップ２４は、製造段階から押圧軸と一体状に製造するようにしてもよい。【００２６】  第２の手段は、図２に示すように、バネ調整用の基台３２と鍔部２２の相対向する位置にそれぞれ円盤状のコイルバネ取付盤３６，３６を固着し、その取付盤３６，３６にコイルバネの両端部を取付け、コイルバネの位置ズレを防止するようにした構造である。なお図２においては、キャップ２４とコイルバネ取付盤３６，３６の両方を設けた非常に好適な例を示しているが、場合によっては、どちらか一方の保護手段のみを採用するようにしても差し支えない。【００２７】  第３の手段は、図４（イ）に示すように、バネ調整用の基台３２と鍔部２２の相対向する位置にそれぞれバネ受け溝３７，３７を形成し、加えられる押圧に従って徐々に縮小していくコイルバネを順次収容するような構造としたものである。このような構造に���り、コイルバネ３３，３４が中心より位置ズレするようなことがなく、その結果として、押圧軸から均一な押圧力が加えられるようになっている。なお本例では、第２の手段と第３の手段を別途に設ける例を示したが、この第２の手段と第３の手段を組み合わせて使用することもでき、さらにこの２者の組み合わせに第１の手段を加えた構造にすると非常に好適である。【００２８】  第４の手段は、図４（ロ）に示すように、鍔部２２における内側端部に、丸棒状の内設軸２５を突設して形成し、押圧時において、該内設軸２５がコイルバネ３３，３４の内部に進入する（言い換えれば、コイルバネ３３，３４が内設軸２５の外側を巻回していく）形状となり、最大限の押圧力が加えられた場合には、内設軸２５がバネ調整用の基台３２に衝止するようになっている。したがってそれ以上の押圧力を加えることが不能となり、バネの損傷を防止するような構造となっている。【００２９】  以上のように構成された本実施例においては、後筒部１２にトルマリンボール５１とゲルマニウムボール５２の一方または両方を収納し、押圧具を使用する際に押圧軸２１が下側になるように傾斜させて、ロック螺子４０の貫通孔４１を経て調整螺子３１の貫通孔３５に各ボールを誘導し、貫通孔３５の前端部に全部のボールを集めるようにする。ここで使用するトルマリンボール５１およびゲルマニウムボール５２は、遠赤外線やマイナスイオン等を放出するので、血流の促進や浄化、筋の緊張緩和、神経の鎮静作用をもたらし、経穴等への押圧と複合的に作用して、症状の改善や健康増進を実現するために有効な働きを成すものである。【００３０】  上述したように、本実施例ではトルマリンボール５１とゲルマニウムボール５２を使用するようになっているが、これらの各ボールを活用せずに、人体各部への押圧のみを行う単一機能器具として使用することも可能である。この場合はロック螺子４０や調整螺子３１に貫通孔を設ける必要がないので、両螺子を丸棒状に形成してもよい。また上記したトルマリンボール５１とゲルマニウムボール５２の使用に代えるか、またはこれらのボールの使用と併せて、プラスチック素材の一つであるシリコンゴムキャップにトルマリンとゲルマニウムを混合し、そのシリコンゴムキャップを押圧軸２１の突出部分に装着するようにしてもよい。
【実施例２】
【００３１】  本考案の第２の実施例は、第１実施例における押圧部（押圧軸２１と鍔部２２およびキャップ２４）を、セラミック、トルマリン、ゲルマニウムなどを混合させて製造した金属で形成するものである。このような物質は、前述した如くに、血流の促進や浄化、筋の緊張緩和、神経の鎮静作用を発揮するので、押圧による刺激と相俟って非常に好適である。
【実施例３】
【００３２】  本考案の第３の実施例は、図３に示すように、第１実施例における押圧軸２１の先端部に、トルマリンとゲルマニウムを混合させた当接部材２３を取付けた形状とするものである。この場合は、キャップ２４を取付けた状態の押圧軸２１の先端部を半球状に削り、ほぼ球状に形成された当接部材２３の下半部を埋設するようにし、かつ当接部材２３の上半部を略半球面状に突出させた構造とするものである。この実施例の場合においても、当接部材２３が血流の促進や浄化、筋の緊張緩和、神経の鎮静作用を発揮するので、非常に好適である。【００３３】  なお実施例１で使用するトルマリンボール５１とゲルマニウムボール５２は、上記した実施例２および実施例３においては必須の要件ではないので、これらの各ボールを使用しなくても差支えない。
【図面の簡単な説明】
【００３４】
【図１】本発明に成る身体各部の押圧具の外観を示す分解斜視図である。
【図２】図１の押圧具を組立てた状態の拡大断面図である。
【図３】他の実施例の要部拡大断面図である。
【図４】コイルバネ保護手段における他の形状を示す要部説明図である。
【符号の説明】
【００３５】  １０  把持体
１１  前筒部
１２  後筒部
２０  押圧部
２１  押圧軸
２２  鍔部
２３  当接部材
２４  キャップ
２５  内設軸
３０  押圧力調整手段
３１  調整螺子
３２  バネ調整用の基台
３３，３４  コイルバネ
３５，４１  貫通孔
３６  コイルバネ取付盤
３７  バネ受け溝
４０  ロック螺子
５１  トルマリンボール
５２  ゲルマニウムボール
【図１】
0003152151.tif 000003
【図２】
0003152151.tif 000004
【図３】
0003152151.tif 000005
【図４】
0003152151.tif 000006